(57)【要約】【課題】鏡筒と筐体とが離間した構造であっても安定した鏡筒の調整を実現可能とする。【解決手段】鏡筒調整機構６は、調整リング５２の外周面に取り付けられて、当該調整リング５２の径方向に沿うように延在するアーム部７と、アーム部７の先端部に対して所定の遊びを有した状態で装着されるレバー部８と、レバー部８の先端部を筐体４の外部に突出させた状態で、当該レバー部８を調整リング５２の周方向に沿うように直線状に案内するガイド部９とを備えている。ガイド部９によって案内されるように筐体４外からレバー部８を操作すると、アーム部７が調整リング５２を回転させる。操作時に所定の遊びによってレバー部８とアーム部７との位置調整が行われるため、アーム部７をスムーズに移動させることができ、鏡筒５と筐体４とが離間した構造であっても安定した鏡筒５の調整が可能となる。【選択図】図３
2015225203.tif 000002
【特許請求の範囲】
【請求項１】
筐体に内蔵された鏡筒の鏡筒本体に対して調整リングを前記筐体外からの操作によって回転させて焦点を調整するための鏡筒調整機構であって、
前記調整リングの外周面に取り付けられて、当該調整リングの径方向に沿うように延在するアーム部と、
前記アーム部の先端部に対して所定の遊びを有した状態で装着されるレバー部と、
前記レバー部の先端部を前記筐体の外部に突出させた状態で、当該レバー部を前記調整リングの周方向に沿うように直線状に案内するガイド部とを備え、
前記ガイド部によって案内されるように、前記筐体外から前記レバー部を操作すると、前記アーム部が前記調整リングを回転させることを特徴とする鏡筒調整機構。
【請求項２】
請求項１記載の鏡筒調整機構において、
前記所定の遊びは前記アーム部の長さ方向に対して設けられていることを特徴とする鏡筒調整機構。
【請求項３】
請求項１又は２記載の鏡筒調整機構において、
前記所定の遊びは前記アーム部の移動方向に対して設けられていることを特徴とする鏡筒調整機構。
【請求項４】
請求項３記載の鏡筒調整機構において、
前記レバー部が移動する際においては、前記アーム部における移動の先方側とは反対側の部分が前記レバー部によって押圧され、前記アーム部における移動の先方側の部分は前記所定の遊びによって前記レバー部から離間していることを特徴とする鏡筒調整機構。
【請求項５】
請求項１〜４のいずれか一項記載の鏡筒調整機構において、
前記アーム部は板状部材から形成されていることを特徴とする鏡筒調整機構。
【請求項６】
請求項５記載の鏡筒調整機構において、
前記アーム部は、所定の角度で曲げられた状態で前記調整リングの外周面に固定されていることを特徴とする鏡筒調整機構。
【請求項７】
請求項５又は６記載の鏡筒調整機構において、
前記アーム部の先端は略９０度の角度で折り曲げられていることを特徴とする鏡筒調整機構。
【請求項８】
請求項１〜７のいずれか一項記載の鏡筒調整機構において、
前記レバー部は、前記アーム部を覆うようなキャップ構造を有することを特徴とする鏡筒調整機構。
【請求項９】
請求項１〜８のいずれか一項記載の鏡筒調整機構と、
前記筐体とを備えることを特徴とする投影装置。
【発明の詳細な説明】
【技術分野】
【０００１】
本発明は、鏡筒調整機構及び投影装置に関する。
【背景技術】
【０００２】
従来、投影装置には、複数のレンズを内部に収容し、各レンズ間を調整することで投影画像の焦点を調整する鏡筒が搭載されている。この鏡筒には、回転されることで焦点を調整するフォーカスリングと、このフォーカスリングを回転させるための突起部とが設けられており、突起部が投影装置の筐体から突出することで筐体外から突起部を操作できるようになっている（例えば特許文献１参照）。
【先行技術文献】
【特許文献】
【０００３】
【特許文献１】特開２００８−１５２１９１号公報
【発明の概要】
【発明が解決しようとする課題】
【０００４】
しかしながら、投影装置の種類によっては鏡筒と筐体とが離間した構造となる場合もある。この場合、筐体から突出するように単に突出部を延長しただけでは強度的に不安定となり、鏡筒の調整が安定して行えないおそれがある。
本発明の課題は、鏡筒と筐体とが離間した構造であっても安定した鏡筒の調整を実現可能とすることである。
【課題を解決するための手段】
【０００５】
請求項１記載の発明では、
筐体に内蔵された鏡筒の鏡筒本体に対して調整リングを前記筐体外からの操作によって回転させて焦点を調整するための鏡筒調整機構であって、
前記調整リングの外周面に取り付けられて、当該調整リングの径方向に沿うように延在するアーム部と、
前記アーム部の先端部に対して所定の遊びを有した状態で装着されるレバー部と、
前記レバー部の先端部を前記筐体の外部に突出させた状態で、当該レバー部を前記調整リングの周方向に沿うように直線状に案内するガイド部とを備え、
前記ガイド部によって案内されるように、前記筐体外から前記レバー部を操作すると、前記アーム部が前記調整リングを回転させることを特徴とする鏡筒調整機構が提供される。
【発明の効果】
【０００６】
本発明によれば、鏡筒と筐体とが離間した構造であっても安定した鏡筒の調整が可能となる。
【図面の簡単な説明】
【０００７】
【図１】本実施形態に係る投影装置の概略構成を主面側から示す斜視図である。
【図２】本実施形態に係る投影装置本体の概略構成を主面側から示す斜視図である。
【図３】本実施形態に係る投影装置本体の要部構成を模式的に示す断面図である。
【図４】図３の主要部の拡大図である。
【図５】本実施形態に係る鏡筒調整機構の一部を示す斜視図である。
【図６】本実施形態に係る鏡筒調整機構の一部を分解して示す斜視図である。
【発明を実施するための形態】
【０００８】
以下、添付図面を参照して、本発明に係る鏡筒調整機構を投影装置に適用した場合の実施形態の一例を詳細に説明する。ただし、発明の範囲は、図示例に限定されない。
【０００９】
図１は、投影装置１の概略構成を主面側から示す斜視図である。なお、本実施形態に係る投影装置１は、天井に吊られて設置される天吊り式の投影装置であり、天吊りされた状態で下方を向く面を主面とし、上方を向く面を背面とする。また、机や台などに投影装置１が背面を下方にして載置された場合には主面が上方を向くことになる。
【００１０】
図１に示すように投影装置１には、電子機器本体である投影装置本体２と、投影装置本体２の一側面を覆うカバー３とが備えられている。
【００１１】
図２は投影装置本体２の概略構成を主面側から示す斜視図である。図３は、投影装置本体２の要部構成を模式的に示す断面図である。図４は、図３の主要部（鏡筒調整機構６）の拡大図である。図２及び図３に示すように投影装置本体２には、配線が接続される端子群４１を一側面４２で露出させる筐体４と、筐体４に内蔵された鏡筒５と、当該鏡筒５を調整するための鏡筒調整機構６とが備えられている。
【００１２】
図５は鏡筒調整機構６の一部を示す斜視図である。図６は鏡筒調整機構６の一部を分解して示す斜視図である。
図３〜図６に示すように、鏡筒調整機構６は、鏡筒５の鏡筒本体５１に対してフォーカスリング（調整リング）５２を筐体４外からの操作によって回転させて焦点を調整するためのものであり、アーム部７と、レバー部８と、ガイド部９とを備えている。
【００１３】
アーム部７は、板状部材であり、その基端部７１がフォーカスリング５２の外周面に取り付けられている。また、アーム部７の全体としてはフォーカスリング５２の径方向に沿うように外側に向けて延在している。アーム部７の基端部７１と、それよりも外側の延在部７２とは、鏡筒５の光軸方向から見て所定の角度で曲げられている。また、延在部７２の先端部７３は、アーム部７の移動方向（フォーカスリング５２の周方向）に沿うように略９０度の角度で折り曲げられている。
【００１４】
レバー部８は、アーム部７の先端部７３に対して所定の遊びを有した状態で装着されるものである。レバー部８には、アーム部７の先端部７３を覆う本体部８１と、本体部８１の先端から略Ｔ字状に突出した操作部８２とが備えられている。
本体部８１は、略直方体状に形成されていて、長手方向に沿ってアーム部７の先端部７３が装着されるようになっている。具体的には、本体部８１の基端部が開放された装着口（装着凹部）８１１となっており、この装着口８１１に対してアーム部７の先端部７３が挿入される。この装着口８１１の高さｈ１（アーム部７の移動方向に沿う厚み）は、アーム部７の先端部７３の高さｈ２よりも大きく形成されている。これにより、アーム部７の先端部７３と装着口８１１との間に、アーム部７の移動方向に対して遊びが設けられることになる。
また、装着口８１１の幅ｗ１においてもアーム部７の先端部７３の幅ｗ２よりも大きく形成されている。このように、装着口８１１が高さｈ１及び幅ｗ１の両者で、アーム部７の先端部７３よりも大きく形成されているので、レバー部８がアーム部７の長さ方向に沿ってスライド自在となる。
装着口８１１内にアーム部７の先端部７３が収容されると、アーム部７の先端部７３はレバー部８の本体部８１によって覆われる。このように装着口８１１がキャップ状になっていることにより、アーム部７の先端部７３に埃が付着することが防止される。
【００１５】
ガイド部９は、レバー部８を調整リング５２の周方向に沿うように直線状に案内するものである。具体的には、ガイド部９には、調整リング５２の周方向に平行と沿うように上下方向に延在するスリット部９１が形成されている。このスリット部９１に操作部８２の狭幅部８２１を係合させることで、操作部８２の拡幅部８２２と本体部８１とがスリット部９１を挟むために、レバー部８がスリット部９１から抜けることなく、調整リング５２の周方向に沿ってガイド部９によって案内されることになる。
また、操作部８２の拡幅部８２２はスリット部９１を介して外部に露出しているため、筐体４の外側から操作できるようになっている。
【００１６】
次に、本実施形態の作用について説明する。
図３、図４（ｃ）に示すように、操作部８２がスリット部９１の下端にある状態では、アーム部７の先端部７３の角部がレバー部８の装着口８１１内に当接している。この状態からユーザーの操作によってレバー部８がガイド部９に案内されつつ上昇すると、前記角部がレバー部８によって押圧されて上に向かって移動する。上昇時においては、アーム部７の先端部７３の先端は、装着口８１１から離間している。
図３の二点線部、図４（ａ）は操作部８２がスリット部９１の上端にある状態を示している。この状態から、ユーザーの操作によってレバー部８がガイド部９に案内されつつ下降すると、アーム部７の先端部７３の先端がレバー部８によって押圧されて下に向かって移動する。下降時においては、アーム部７の前記角部は、装着口８１１から離間している。
つまり、移動時においては、アーム部７における移動の先方側とは反対側の部分がレバー部８によって押圧され、アーム部７における移動の先方側の部分は所定の遊びによってレバー部８から離間することになる。
そして、アーム部７の移動によってフォーカスリング５２は鏡筒本体５１に対して回転するため、投影装置１の焦点を調整することができる。
【００１７】
なお、レバー部８の操作中においては（図４（ｂ）参照）、レバー部８とフォーカスリング５２との相対的な距離が変動するが、この変動によってアーム部７がレバー部８から離脱しないように変動範囲よりも装着口８１１の深さｄが大きく設定されている。つまり、アーム部７の長さ方向に対しても所定の遊びが設けられている。前述の通り、レバー部８がアーム部７に対して長さ方向に沿ってスライド自在であるために、前記所定の遊びによって距離の変動は吸収され、スムーズにレバー部８を移動させることができる。
【００１８】
以上のように、本実施形態によれば、フォーカスリング５２の外周面に取り付けられたアーム部７がフォーカスリング５２の径方向に沿うように接続されているので、鏡筒５と筐体４とが離間していたとしてもアーム部７によってフォーカスリング５２の操作が可能な状態とすることができる。
また、アーム部７の先端部には所定の遊びを有した状態でレバー部８が装着され、このレバー部８の先端部（操作部８２）が筐体４の外部に突出しているので、レバー部８を筐体４の外部から操作することができ、ひいてはレバー部８を介することでアーム部７の操作も筐体４の外部から可能となる。
そして、レバー部８は所定の遊びを有した状態でアーム部７の先端部７３に装着されているので、この遊び分だけレバー部８がアーム部７の先端部７３に対して移動することができる。操作時に際しては、ガイド部９による案内に追従してレバー部８がアーム部７との位置を調整しながら移動する。
このように、操作時にレバー部８とアーム部７との位置調整が行われていれば、アーム部７をスムーズに移動させることができ、したがって、鏡筒５と筐体４とが離間した構造であっても安定した鏡筒５の調整が可能となる。
【００１９】
また、装着口８１１内にアーム部７の先端部７３が収容されて、アーム部７の先端部７３に埃が付着することが防止されているので、所定の遊びが埃により埋まってしまうことも抑制される。これにより、長期間にわたってスムーズな操作を維持するとこが可能となる。
【００２０】
所定の遊びがアーム部７の長さ方向に対して設けられているので、レバー部８を操作したことによるレバー部８とフォーカスリング５２との相対的な距離が変動したとしても、その変動を所定の遊びが吸収することとなり、スムーズにレバー部８を移動させることができる。
【００２１】
また、所定の遊びがアーム部７の移動方向に対して設けられているので、アーム部７の傾きが変わったとしても所定の遊びによりアーム部７の傾きは吸収されることになり、レバー部８がアーム部７の傾きに影響されて傾いてしまうことを抑制することができる。
【００２２】
また、レバー部８が移動する際においては、アーム部７における移動の先方側とは反対側の部分がレバー部８によって押圧され、アーム部における移動の先方側の部分は所定の遊びによってレバー部８から離間しているので、操作時においてもアーム部７の傾きの変動が所定の遊びにより吸収されて、スムーズな操作が可能となる。
【００２３】
また、アーム部７が板状部材から形成されているので、簡素な構成とすることができる。
また、アーム部７が、所定の角度で曲げられた状態で調整リング５２の外周面に固定されているので、前記所定の角度を調整するという簡単な手順でアーム部７の移動範囲を調整することができる。
また、アーム部７の先端は略９０度の角度で折り曲げられているので、単に板状部材を曲げるという簡単な構成で、可動範囲の確保と、上端側、下端側の遊び量のバランスを取るとともに、遊びを最小限に抑えることが可能になっている。
【００２４】
具体的には、アーム部７の先端が略９０度の角度で折り曲げられている構造によって、レバー部８を下端側に移動させるとアーム部７の折り曲げられた内側にレバー部８の本体部８１が入り込む。このため、アーム部が一様な厚さの場合よりも可動範囲を広げることができる（図４（ｃ）参照）。また折り曲げられている構造によりアーム部７の強度も確保できる。
【００２５】
なお、本発明を適用可能な実施形態は、上述した実施形態に限定されることなく、本発明の趣旨を逸脱しない範囲で適宜変更可能である。
【００２６】
上記実施形態では、調整リングがフォーカスを調整する場合を例示して説明したが、本発明はズーム量を調整する機構に応用できることは言うまでもない。
【００２７】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００２８】
〔付記〕
＜請求項１＞
筐体に内蔵された鏡筒の鏡筒本体に対して調整リングを前記筐体外からの操作によって回転させて焦点を調整するための鏡筒調整機構であって、
前記調整リングの外周面に取り付けられて、当該調整リングの径方向に沿うように延在するアーム部と、
前記アーム部の先端部に対して所定の遊びを有した状態で装着されるレバー部と、
前記レバー部の先端部を前記筐体の外部に突出させた状態で、当該レバー部を前記調整リングの周方向に沿うように直線状に案内するガイド部とを備え、
前記ガイド部によって案内されるように、前記筐体外から前記レバー部を操作すると、前記アーム部が前記調整リングを回転させることを特徴とする鏡筒調整機構。
＜請求項２＞
請求項１記載の鏡筒調整機構において、
前記所定の遊びは前記アーム部の長さ方向に対して設けられていることを特徴とする鏡筒調整機構。
＜請求項３＞
請求項１又は２記載の鏡筒調整機構において、
前記所定の遊びは前記アーム部の移動方向に対して設けられていることを特徴とする鏡筒調整機構。
＜請求項４＞
請求項３記載の鏡筒調整機構において、
前記レバー部が移動する際においては、前記アーム部における移動の先方側とは反対側の部分が前記レバー部によって押圧され、前記アーム部における移動の先方側の部分は前記所定の遊びによって前記レバー部から離間していることを特徴とする鏡筒調整機構。
＜請求項５＞
請求項１〜４のいずれか一項記載の鏡筒調整機構において、
前記アーム部は板状部材から形成されていることを特徴とする鏡筒調整機構。
＜請求項６＞
請求項５記載の鏡筒調整機構において、
前記アーム部は、所定の角度で曲げられた状態で前記調整リングの外周面に固定されていることを特徴とする鏡筒調整機構。
＜請求項７＞
請求項５又は６記載の鏡筒調整機構において、
前記アーム部の先端は略９０度の角度で折り曲げられていることを特徴とする鏡筒調整機構。
＜請求項８＞
請求項１〜７のいずれか一項記載の鏡筒調整機構において、
前記レバー部は、前記アーム部を覆うようなキャップ構造を有することを特徴とする鏡筒調整機構。
＜請求項９＞
請求項１〜８のいずれか一項記載の鏡筒調整機構と、
前記筐体とを備えることを特徴とする投影装置。
【符号の説明】
【００２９】
１      投影装置
２      投影装置本体
３      カバー
４      筐体
５      鏡筒
６      鏡筒調整機構
７      アーム部
８      レバー部
９      ガイド部
４１      端子群
４２      一側面
５１      鏡筒本体
５２      調整リング
７１      基端部
７２      延在部
７３      先端部
８１      本体部
８２      操作部
９１      スリット部
８１１      装着口
８２１      狭幅部
８２２      拡幅部
【図１】
2015225203.tif 000003
【図２】
2015225203.tif 000004
【図３】
2015225203.tif 000005
【図４】
2015225203.tif 000006
【図５】
2015225203.tif 000007
【図６】
2015225203.tif 000008